(57)【要約】【課題】キャリアリレー信号を波長多重光信号により伝送するキャリアリレー信号伝送システムに関し、波長多重装置のトランスポンダのインタフェース条件に容易に適合可能とする。【解決手段】キャリアリレー信号を波長多重光信号により伝送するキャリアリレー信号伝送システムで、信号端局１からのキャリアリレー信号を多重化する多重化装置２と、波長多重光信号を光伝送路５に送出する波長多重装置４と、多重化装置２によるキャリアリレー信号を含む多重化信号を、波長多重装置４のトランスポンダのインタフェース条件に適合するように変換する信号変換装置３とを備え、信号変換装置３は、多重化信号を多点サンプリングして速度変換を行うサンプリング部と、サンプリングされた信号の“１”及び“０”の連続数を所定数以下になるように変換するスクランブラとを含む構成を有する。【選択図】　　　図１
2004104547.tif 000002
【特許請求の範囲】
【請求項１】
キャリアリレー信号を多重化して波長多重光信号に変換して伝送するキャリアリレー信号伝送システムに於いて、
前記キャリアリレー信号を多重化する多重化装置と、
複数の波長の光信号を多重化した波長多重光信号を光伝送路に送出する波長多重装置と、
前記多重化装置による前記キャリアリレー信号を含む多重化信号を、前記波長多重装置のトランスポンダのインタフェース条件に適合するように変換する信号変換装置とを備え、
前記信号変換装置は、前記多重化装置による多重化信号を多点サンプリングして速度変換を行うサンプリング部と、該サンプリング部によりサンプリングされた信号の“１”及び“０”の連続数を所定数以下になるように変換するスクランブラとを含む構成を有する
ことを特徴とするキャリアリレー信号伝送システム。
【請求項２】
前記信号変換装置は、前記波長多重装置のトランスポンダのインタフェース条件の伝送速度のクロック信号により前記多重化装置からの多重化信号を多点サンプリングして速度変換を行うサンプリング部と、該サンプリング部からのサンプリング出力信号に対して、予め設定した符号列を乗算し、前記サンプリング出力信号の“１”及び“０”の連続数を所定数以下になるように変換するスクランブラとを含む構成を有することを特徴とする請求項１記載のキャリアリレー信号伝送システム。
【発明の詳細な説明】
【０００１】
【発明の属する技術分野】
本発明は、波長多重光信号を伝送するシステムを利用して、信号端局からのキャリアリレー信号を多重化して伝送するキャリアリレー信号伝送システムに関する。
【０００２】
【従来の技術】
送電系統に於ける送受電端に於ける電流や位相等を測定してキャリアリレー信号とし、このキャリアリレー信号を送電系統の監視部に伝送し、同時刻に於ける送電端と受電端とのキャリアリレー信号による測定値を比較して、送電系統の正常性を監視するシステムが知られている。この場合のキャリアリレー信号を、専用の伝送路を介して伝送する場合、監視システムが高価となるから、他の各種の情報を伝送する伝送システムの伝送路を利用して伝送するキャリアリレー信号伝送システムが一般的である。
【０００３】
図９は従来のキャリア信号伝送システムの要部説明図であり、スタッフ多重方式を適用した場合を示し、８１は信号端局、８２〜８５は多重化装置を示す。信号端局８１からのキャリアリレー信号は、例えば、４２ｋｂ／ｓ又は５４ｋｂ／ｓのディジタル信号としたものであり、このキャリアリレー信号と図示を省略した他の信号端局からのキャリアリレー信号とを、多重化装置８２（１．５ＭＣＲＭＵＸ）により多重化して１．５４４Ｍｂ／ｓの多重化信号とし、この多重化信号と他の多重化信号とを多重化装置８３（６ＭＭＵＸ）によりスタッフ多重化して６．３１２Ｍｂ／ｓの多重化信号とし、この多重化信号と他の多重化信号とを多重化装置８４（３２ＭＭＵＸ）によりスタッフ多重化して３２．０６４Ｍｂ／ｓの多重化信号とし、この多重化信号と他の多重化信号とを多重化装置８５（１００ＭＭＵＸ）によりスタッフ多重化して９７．７２８Ｍｂ／ｓの多重化信号として伝送する。
【０００４】
このキャリアリレー信号伝送システムに於いては、多重化装置８２〜８５に於ける多重化処理毎に、スタッフビットの挿入又は削除を行って同期化処理を行うものである。この場合の多重化信号は、同期化処理により、伝送遅延時間の変動は生じないから、送電系統の送受電端の同一時刻のキャリアリレー信号を送電系統の監視部に伝送して比較することができる。
【０００５】
又波長多重伝送システムによりキャリアリレー信号を波長多重光信号にのせて伝送するシステムは、例えば、図１０に示すように、信号端局９１からの４２ｋｂ／ｓ又は５４ｋｂ／ｓのキャリアリレー信号を、多重化装置９２（１．５ＭＣＲＭＵＸ）により他局のキャリアリレー信号と多重化して、１．５４４Ｍｂ／ｓの多重化信号とし、この多重化信号と他の多重化信号とをモジュール９３（Ｍｏｄ−Ｃ）により多重化して５１．８４Ｍｂ／ｓの多重化信号とし、この多重化信号と他の多重化信号とを、モジュール９４（Ｍｏｄ−Ｂ）により方路振り分けを行い、モジュール９５（Ｍｏｄ−Ａ）により、他の５１．８４Ｍｂ／ｓの多重化信号を含めて多重化して、１５５．５２Ｍｂ／ｓの多重化信号とし、波長多重装置９６のトランスポンダとのインタフェースをとり、波長多重装置９６に於いて波長多重光信号に変換して伝送する。
【０００６】
又標準化された高速伝送システムとして、ＳＤＨ（Ｓｙｎｃｈｒｏｎｏｕｓ　Ｄｉｇｉｔａｌ　Ｈｉｅｒａｒｃｈｙ）方式が知られており、このＳＤＨ方式を適用してキャリアリレー信号を伝送するシステムも知られている。この場合、ＳＤＨフレームのペイロードに、キャリアリレー信号を他の情報と共に多重化するものであり、例えば、１．５４４Ｍｂ／ｓの多重化信号をコンテナとしてペイロードに多重化し、その多重化先頭位置をポインタ値によって指示する。又伝送途中に於ける他の多重化信号をコンテナとして多重化又は多重分離することにより、コンテナの先頭位置が変化するが、変化した先頭位置をポインタ値の変更によって指示することができる。
【０００７】
このＳＤＨ方式を適用した場合、例えば、図１０のモジュール９４に於いて方路振り分け等によりコンテナ位置が変更されることにより、ポインタ値を付け替えることになる。その為にバッファリングしてポインタ値の変更を行うもので、その場合に、数μｓ〜数１０μｓ程度の遅延時間の変動が生じることがある。
【０００８】
キャリアリレー信号伝送システムに於いては、送電系統の送受電端の同時刻の測定値を比較することが必要であるから、伝送遅延時間の変動が厳しく制限されている。例えば、２０μｓ以内であることが要求されている。そこで、ＳＤＨ方式を適用した場合に、ＳＤＨフレームのセクション・オーバーヘッドＳＯＨのＤ１〜Ｄ１２バイトからなるデータ・コミュニケーション・チャネルＤＣＣを用いてキャリアリレー信号を伝送するキャリアリレー信号伝送システムが知られている（例えば、特許文献１参照）。
【０００９】
【特許文献１】
特開平５−１６０８０４号公報（第３頁，第４頁，図１，図３）
【００１０】
【発明が解決しようとする課題】
キャリアリレー信号は、前述のように、伝送遅延時間の変動が厳しく制限されることから、前述のＳＤＨ方式のペイロードに多重化して伝送する場合に問題があり、又ＳＤＨ方式のセクション・オーバーヘッドＳＯＨのデータ・コミュニケーション・チャネルＤＣＣを利用して、キャリアリレー信号を伝送するシステムは、ネットワークの装置間で通信する為に用いるデータ・コミュニケーション・チャネルＤＣＣが、ネットワークの大規模化に伴って装置間のデータ通信量が増加することから、キャリアリレー信号の伝送に利用できなくなることがある。
【００１１】
又高速大容量伝送システムとしての波長多重伝送システムを用いてキャリアリレー信号を伝送するシステムの場合、例えば、図１０に示すように、キャリアリレー信号を多重化し、波長多重装置９６のトランスポンダとの間のインタフェースとして、１５５．５２Ｍｂ／ｓや６２２．０８Ｍｂ／ｓが必要となる。即ち、波長多重装置９６のトランスポンダとのインタフェース条件を満足するように、キャリアリレー信号を多重化する必要があり、既設の波長多重伝送システムに対しては、その波長多重装置のトランスポンダとのインタフェース条件を満足するようにキャリアリレー信号を多重化することは簡単ではない。
【００１２】
本発明は、スタッフ多重化やＳＤＨ方式を適用することなく、且つ波長多重装置のトランスポンダとの間のインタフェース条件を容易に満足できる構成として、キャリアリレー信号を波長多重光信号により伝送することを目的とする。
【００１３】
【課題を解決するための手段】
本発明のキャリアリレー信号伝送システムは、図１を参照して説明すると、キャリアリレー信号を多重化して波長多重光信号に変換して伝送するキャリアリレー信号伝送システムであって、信号端局１からのキャリアリレー信号を多重化する多重化装置２と、複数の波長の光信号を多重化した波長多重光信号を光伝送路５に送出する波長多重装置４と、多重化装置２によるキャリアリレー信号を含む多重化信号を、波長多重装置４のトランスポンダのインタフェース条件に適合するように変換する信号変換装置３とを備え、この信号変換装置３は、多重化装置２による多重化信号を多点サンプリングして速度変換を行うサンプリング部と、このサンプリング部によりサンプリングされた信号の“１”及び“０”の連続数を所定数以下になるように変換するスクランブラとを含む構成を有するものである。
【００１４】
又信号変換装置３は、波長多重装置４のトランスポンダのインタフェース条件の伝送速度のクロック信号により、多重化装置２からの多重化信号を多点サンプリングして速度変換を行うサンプリング部と、このサンプリング部からのサンプリング出力信号に対して、予め設定した符号列を乗算し、サンプリング出力信号の“１”及び“０”の連続数を所定数以下になるように変換するスクランブラとを含む構成を有するものである。
【００１５】
【発明の実施の形態】
図１は本発明の実施の形態のシステム説明図であり、１，９は信号端局、２，８は多重化装置、３，７は信号変換装置、４，６は波長多重装置、５は光伝送路を示す。例えば、信号端局１から信号端局９にキャリアリレー信号を伝送する場合、多重化装置２により図示を省略した他の信号端局からのキャリアリレー信号等と多重化し、信号変換装置３により波長多重装置４のトランスポンダとのインタフェース条件を満足する伝送速度とし、送信側の波長多重装置４に於いて波長多重光信号にキャリアリレー信号をのせて光伝送路５に送出する。
【００１６】
受信側の波長多重装置６は、送信側の波長多重装置４とは逆に波長多重光信号の波長分離と波長対応に電気信号に変換する機能を有し、信号変換装置７は、送信側の信号変換装置３と逆の処理を行い、多重化装置８は、送信側の多重化装置２と逆に多重分離の処理を行い、分離したキャリアリレー信号を信号端局９に転送することができる。
【００１７】
図２は本発明の実施の形態の説明図であり、１１は信号端局、１２−１〜１２−４、１３は多重化装置、１４は信号変換部、１５，１６は多重化信号処理部、１７は波長多重装置を示し、図１に於ける信号端局１と多重化装置２と信号変換装置３と波長多重装置４との送信側の構成を示す。
【００１８】
信号端局１１からのキャリアリレー信号は、４２ｋｂ／ｓ又は５４ｋｂ／ｓ信号であり、多重化装置１２−１に於いて他の信号端局からのキャリアリレー信号と多重化して１．５Ｍｂ／ｓ信号とする。又多重化装置１２−４は、音声信号や各種のデータが入力されて多重化を行い、１．５Ｍｂ／ｓ信号とする。又図示を省略した多重化装置１２−２，１２−３も同様に、各種のデータ等を多重化して１．５Ｍｂ／ｓ信号とし、多重化装置１３に於いて多重化して６Ｍｂ／ｓ信号とする。なお、正確には、１．５Ｍｂ／ｓは１．５４４Ｍｂｓ、６Ｍｂ／ｓは６．３１２Ｍｂ／ｓの信号である。
【００１９】
信号変換装置１４は、波長多重装置１７のトランスポンダのインタフェース条件が１５５Ｍｂ／ｓの場合、多重化装置１３からの６Ｍｂ／ｓ信号を多点サンプリングにより、１５５Ｍｂ／ｓ信号とする。その場合、“１”又は“０”が所定数以上連続することになるから、スクランブル処理を行って、所定数以上の“１”又は“０”の連続を含まない信号とする。又多重化信号処理部１５，１６は、例えば、１５５Ｍｂ／ｓのＳＤＨ信号や他の多重化信号と波長多重装置１７のトランスポンダとのインタフェースをとる機能を有するものである。この場合も、正確には、１５５Ｍｂ／ｓは１５５．５２Ｍｂ／ｓの信号である。
【００２０】
図３は信号変換装置の要部説明図であり、（Ａ）は送信側の信号変換装置を示し、２１はサンプリング部、２２はクロック発生部、２３はスクランブラ、２４はインタフェース部（ＩＮＦ）を示す。又（Ｂ）は受信側の信号変換装置を示し、２５はインタフェース部（ＩＮＦ）、２６はデスクランブラ、２７はデサンプリング部、２８はクロック再生部を示す。
【００２１】
図２に於ける信号変換装置１４は、多重化装置１３からの６Ｍｂ／ｓの信号を、波長多重装置１７のトランスポンダのインタフェース条件の１５５Ｍｂ／ｓに変換するものであり、図３の（Ａ）に於けるサンプリング部２１に、多重化装置１３からの６Ｍｂ／ｓの信号が入力されることになる。そして、クロック発生部２２からの１５５ＭＨｚの周波数のクロック信号により、６Ｍｂ／ｓの信号をサンプリングする。従って、６Ｍｂ／ｓの多重化信号を約２６倍の速度の１５５ＭＨｚのクロック信号によりサンプリングするから、６Ｍｂ／ｓの信号の“１”は、連続約２６個の“１”となり、同様に、６Ｍｂ／ｓの信号の“０”は、連続約２６個の“０”となる。
【００２２】
そこで、スクランブラ２５に於いて多点サンプリングした１５５Ｍｂ／ｓの信号に対してスクランブル処理を施して、“１”又は“０”の連続数を、例えば、８個等の所定数以下となるように処理する。例えば、生成多項式等による予め設定した符号列をサンプリング出力信号に対して乗算する構成とすることもできる。このように多点サンプリングした信号にスクランブルを施した後、インタフェース部２４を介して波長多重装置１７のトランスポンダに入力し、所定の波長の光信号に変換する。又波長多重装置１７は、他の多重化信号処理部１５，１６からの１５５Ｍｂ／ｓの信号をそれぞれ異なる波長の光信号に変換し、異なる波長を多重化して送信する。
【００２３】
受信側に於いては、送信側と逆の処理を行うものであり、波長多重装置に於いて受信した波長多重光信号を波長対応に分離し、キャリアリレー信号を含む波長の光信号を電気信号に変換し、図３の（Ｂ）のインタフェース部２５を介してデスクランブラ２６に入力し、元の多点サンプリングされた信号に戻して、デサンプリング部２７とクロック再生部２８とに入力し、クロック再生部２８により１５５ＭＨｚのクロックを抽出し、分周して６ＭＨｚのクロック信号を再生し、このクロック信号を用いて、デスクランブルされた１５５Ｍｂ／ｓの信号を元の６Ｍｂ／ｓの信号に戻し、その後、多重分離等によりキャリアリレー信号を受信処理することになる。
【００２４】
図４は本発明の他の実施の形態の説明図であり、３１は信号端局、３２はキャリアリレー信号多重化装置（１．５ＭＣＲＭＵＸ）、３３は信号変換装置、３４は波長多重装置を示す。信号端局３１からの４２ｋｂ／ｓ又は５４ｋｂ／ｓのキャリアリレー信号は、送電端又は受電端に於いて測定した電流値や位相等の各種のデータを含むもので、一定ビット数のフレーム構成を有し、複数個を集合してマルチフレーム番号を付加したマルチフレームを構成している。
【００２５】
キャリアリレー信号多重化装置３２は、他のキャリアリレー信号と多重化して１．５４Ｍｂ／ｓ信号とし、信号変換装置３３に入力する。この場合の１．５４４Ｍｂ／ｓ信号はバイポーラ信号とすることができる。信号変換装置３３は、図３の（Ａ）に示す構成を有し、この信号変換装置３３に於いては、１５５．５４ＭＨｚのクロック信号により１．５４Ｍｂ／ｓ信号を多点サンプリングして、１５５．５４Ｍｂ／ｓの信号とし、波長多重装置３４のトランスポンダのインタフェース条件に合わせる。この場合の１５５．５４Ｍｂ／ｓの信号は、光信号に変換する為に、ＮＲＺ信号とすることができる。
【００２６】
波長多重装置３４は、図示を省略した他の１５５．５４Ｍｂ／ｓの信号も入力して、それぞれ異なる波長の光信号に変換して波長多重光信号とする。この場合、異なる８波長の光信号を多重化すると、約１．２Ｇｂ／ｓの伝送速度のシステムを構成することになる。又受信側は、前述の送信側と逆の処理によりキャリアリレー信号を復元して受信処理することができる。
【００２７】
図５は本発明の更に他の実施の形態の説明図であり、４１は信号端局、４２はキャリアリレー信号多重化装置（１．５ＭＣＲＭＵＸ）、４３は多重化装置（６ＭＭＵＸ）、４４は信号変換装置、４５は波長多重装置を示す。この実施の形態は、１．５４４Ｍｂ／ｓ，６．３１２Ｍｂ／ｓ，３２．０６４Ｍｂ／ｓ系統のＰＤＨ（Ｐｌｅｓｉｏｃｈｒｏｎｏｕｓ　Ｄｉｇｉｔａｌ　Ｈｉｅｒａｃｈｙ）信号を用いた場合を示し、キャリアリレー信号多重化装置４２により、信号端局４１からの４２ｋｂ／ｓ又は５４ｋｂ／ｓのキャリアリレー信号多重化装置４２により多重化して１．５４４Ｍｂ／ｓの信号とし、この信号を多重化装置４３により多重化して、６．３２Ｍｂ／ｓの信号として、信号変換装置４４に入力し、波長多重装置４５のトランスポンタのインタフェース条件としての１５５．５２Ｍｂ／ｓの信号に変換して、波長多重装置４５に入力する構成を示す。
【００２８】
信号変換装置４４は、図３の（Ａ）に示す構成とすることができるものであり、波長多重装置４５は、他の１５５．５２Ｍｂ／ｓの信号と共に、それぞれ異なる波長の光信号に変換して波長多重化する。なお、６．３２Ｍｂ／ｓの信号を更に多重化して３２．０６４Ｍｂ／ｓの信号として信号変換装置４４に入力する構成とすることも可能である。又受信側では、前述の送信側の処理の逆の処理によりキャリアリレー信号の受信処理を行うものである。
【００２９】
図６は本発明の更に他の実施の形態の説明図であり、５１は信号端局、５２はキャリアリレー信号多重化装置（１．５ＭＣＲＭＵＸ）、５３は多重化装置（６ＭＭＵＸ）、５４は符号変換装置（６ＭＯＰＴＴＲ）、５５は信号変換装置、５６は波長多重装置を示す。
【００３０】
信号端局５１からの４２ｋｂ／ｓ又は５４ｋｂ／ｓのキャリアリレー信号多重化装置５２により多重化し、１．５４４Ｍｂ／ｓのバイポーラ信号とし、このバイポーラ信号を多重化装置５３により多重化して、６．３２Ｍｂ／ｓのバイポーラ信号として、符号化変換装置５４に入力する。符号化変換装置５４は、バイポーラ信号をＣＭＩ符号に変換して１２．６２４Ｍｂ／ｓのＣＭＩ信号とし、信号変換装置５５に入力する。
【００３１】
信号変換装置５５は、例えば、図３の（Ａ）に示す構成を有し、前述のように多点サンプリングにより、波長多重装置５６のトランスポンダのインタフェース条件の１５５．５４Ｍｂ／ｓのＮＲＺ信号に変換し、波長多重装置５６に入力する。波長多重装置５５は、他の１５５．５２Ｍｂ／ｓの信号と共に、それぞれ異なる波長の光信号に変換して波長多重化する。この実施の形態に於いても、受信側では、前述の送信側の処理の逆の処理によりキャリアリレー信号を受信処理することができる。
【００３２】
図７は本発明の更に他の実施の形態の説明図であり、６１は信号端局、６２はキャリアリレー信号多重化装置（１．５ＭＣＲＭＵＸ）、６３は多重化装置（６ＭＭＵＸ）、６４は多重化装置（３２ＭＭＵＸ）、６５は信号変換装置、６６は波長多重装置を示す。
【００３３】
信号端局６１からの４２ｋｂ／ｓ又は５４ｋｂ／ｓのキャリアリレー信号多重化装置６２により多重化し、１．５４４Ｍｂ／ｓのバイポーラ信号とし、このバイポーラ信号を多重化装置６３により４多重して、６．３２Ｍｂ／ｓのバイポーラ信号とし、多重化装置６４に入力する。この多重化装置６４は、６．３２Ｍｂ／ｓのバイポーラ信号を５多重して、３２．０６４Ｍｂ／ｓのバイポーラ信号とし、信号変換装置６５に入力する。
【００３４】
信号変換装置６５は、例えば、図３の（Ａ）に示す構成を有し、波長多重装置６６のトランスポンダのインタフェース条件の６２２．０８Ｍｂ／ｓのＮＲＺ信号に変換して、波長多重装置６６に入力する。波長変換装置６６は、他の６２２．０８Ｍｂ／ｓのＮＲＺ信号と共に、それぞれ異なる波長の光信号に変換して波長多重化する。例えば、８多重すると、約５Ｇｂ／ｓの伝送速度となる。この実施の形態に於いても、受信側では、前述の送信側の処理の逆の処理によりキャリアリレー信号を受信処理することができる。
【００３５】
図８は本発明の更に他の実施の形態の説明図であり、７１は信号端局、７２はキャリアリレー信号多重化装置（１．５ＭＣＲＭＵＸ）、７３は多重化装置（６ＭＭＵＸ）、７４は多重化装置（３２ＭＭＵＸ）、７５は符号変換装置（３２ＭＯＰＴＴＲ）、７６は信号変換装置、７７は波長多重装置を示す。
【００３６】
信号端局７１からの４２ｋｂ／ｓ又は５４ｋｂ／ｓのキャリアリレー信号多重化装置７２により多重化し、１．５４４Ｍｂ／ｓのバイポーラ信号とし、このバイポーラ信号を多重化装置７３により４多重して、６．３２Ｍｂ／ｓのバイポーラ信号とし、多重化装置７４に入力する。この多重化装置７４は、６．３２Ｍｂ／ｓのバイポーラ信号を５多重して、３２．０６４Ｍｂ／ｓのバイポーラ信号とし、符号変換装置７５に入力する。
【００３７】
符号変換装置７５は、バイポーラ信号をしＣＭＩ符号に変換し、６４．１２８Ｍｂ／ｓのＣＭＩ信号として信号変換装置７６に入力する。信号変換装置７６は、波長多重装置７７のトランスポンダのインタフェース条件の６２２．０８Ｍｂ／ｓのＮＲＺ信号に変換して、波長多重装置７７に入力する。波長変換装置７７は、他の６２２．０８Ｍｂ／ｓのＮＲＺ信号と共に、それぞれ異なる波長の光信号に変換して波長多重化する。例えば、８多重すると、約５Ｇｂ／ｓの伝送速度となる。この実施の形態に於いても、受信側では、前述の送信側の処理の逆の処理によりキャリアリレー信号を受信処理することができる。
【００３８】
【発明の効果】
以上説明したように、本発明は、波長多重装置４のトランスポンダのインタフェース条件に対して対応できる信号変換装置３を設けて、キャリアリレー信号を多重化した信号を波長多重装置４に入力して波長多重光信号として伝送することができるものであり、伝送遅延の変動を小さくした多重化方式により、キャリアリレー信号を波長多重光信号として伝送できる利点がある。又信号変換装置３は、多点サンプリングにより生じる“１”及び“０”の連続数が大きくなるが、スクランブル処理により、その連続数を所定数以下に抑えることができる。
【図面の簡単な説明】
【図１】本発明の実施の形態のシステム説明図である。
【図２】本発明の実施の形態の説明図である。
【図３】信号変換装置の要部説明図である。
【図４】本発明の他の実施の形態の説明図である。
【図５】本発明の更に他の実施の形態の説明図である。
【図６】本発明の更に他の実施の形態の説明図である。
【図７】本発明の更に他の実施の形態の説明図である。
【図８】本発明の更に他の実施の形態の説明図である。
【図９】従来のキャリアリレー信号伝送システムの要部説明図である。
【図１０】従来の波長多重化伝送システムの要部説明図である。
【符号の説明】
１，９　信号端局
２，８　多重化装置
３，７　信号変換装置
４，６　波長多重装置
５　光伝送路
１１　信号端局
１２−１〜１２−４，１３　多重化装置
１４　信号変換装置
１７　波長多重装置
【図１】
2004104547.tif 000003
【図２】
2004104547.tif 000004
【図３】
2004104547.tif 000005
【図４】
2004104547.tif 000006
【図５】
2004104547.tif 000007
【図６】
2004104547.tif 000008
【図７】
2004104547.tif 000009
【図８】
2004104547.tif 000010
【図９】
2004104547.tif 000011
【図１０】
2004104547.tif 000012